(57)【要約】【課題】多段キャップにおいて、開いた部材がその他の部分に対して動かないよう固定される多段キャップを得ることにある。【解決手段】容器本体２の上端開口２ａに取付けられ、前記容器本体２内に収容された内容物を注出するための第１注出口３ｂを備えたキャップ本体３と、キャップ本体３から第１接合部３ａを介して連設され、前記内容物を注出するのための第２注出口４ｂを備えた第１蓋体４と、第１蓋体４から第２接合部４ａを介して連設され、前記第２注出口４ｂを閉止する第２蓋体５と、を備えた多段キャップであって、前記第１蓋体４は、前記第２蓋体５の第1被係合部８に係合可能である第1係合手段７を備え、前記第２蓋体５は、前記キャップ本体３の第２被係合部１０に係合可能である第２係合手段９を備える。【選択図】図１
2010202197.tif 000002
【特許請求の範囲】
【請求項１】
容器本体の上端開口に取付けられ、前記容器本体内に収容された内容物を注出するための第１注出口を備えたキャップ本体と、
前記キャップ本体から第１接合部を介して連設され、前記内容物を注出するのための第２注出口を備えた第１蓋体と、
第１蓋体から第２接合部を介して連設され、前記第２注出口を閉止する第２蓋体と、
を備えたキャップであって、
前記第１蓋体は、前記第２蓋体の第1被係合部に係合可能である第1係合手段を備え、
前記第２蓋体は、前記キャップ本体の第２被係合部に係合可能である第２係合手段を備える、ことを特徴とする多段キャップ。
【請求項２】
前記第１係合手段および前記第２係合手段は、それぞれ前記第１蓋体および前記第２蓋体の周壁に設けられた指かけ部である、請求項１記載の多段キャップ。
【請求項３】
前記第１被係合部は、前記第２蓋体の頂壁または周壁の上端に設けた請求項１または２記載の多段キャップ。
【請求項４】
前記第２被係合部は、前記キャップ本体の下端部である。請求項１〜３のうちいずれか１項に記載の多段キャップ。
【請求項５】
前記第１係合手段および前記第２係合手段は突起であり、前記第１被係合部および前記第２被係合部は凹部である、請求項１または２に記載の多段キャップ。
【発明の詳細な説明】
【技術分野】
【０００１】
本発明は、例えばマヨネーズやソース等を収容する容器に装着するのに適した多段キャップに関するものである。
【背景技術】
【０００２】
特許文献１に記載の多段キャップは、容器にねじ止め連結される装着筒と、この装着筒にヒンジを介して設けられた変更注出口部材と、変更注出口部材にヒンジを介して設けられた天蓋とを有し、変更注出口部材と天蓋とは、互いに逆方向に開く。変更注出口部材を天蓋と共に装着筒に対して開けると、大容量の内容物注出が可能であり、これに対し、天蓋のみを変更注出口部材および装着筒に対して開けると、少量の内容物注出が可能である。
【０００３】
このように、多段キャップは、各段に形状の異なる注出口を備え、内容物の注出量や注出形状を変化させるためや、他の目的のため使用される。使用者は、所望の段を開き、内容物の注出を行うが、この際、本体に対して開いた部分が使用者の動作に伴い本体に対して揺動し、内容物が付着してしまうこともあることから、片方の手で段を抑えながら内容物の注出を行わなければならない等、注出作業が煩雑にならざるを得ず、未だ改善の余地が残されていた。
【先行技術文献】
【特許文献】
【０００４】
【特許文献１】特開２００６−１３７４７８号公報
【発明の概要】
【発明が解決しようとする課題】
【０００５】
そこで、本発明の課題は、多段キャップにおいて、開いた部材がその他の部分に対して動かないよう固定される多段キャップを得ることにある。
【課題を解決するための手段】
【０００６】
本発明の多段キャップは、上述の問題点を有利に解決するものであり、容器本体の上端開口に取付けられ、容器本体内に収容された内容物を注出するための第１注出口を備えたキャップ本体と、キャップ本体から第１接合部を介して連設され、内容物を注出するための第２注出口を備えた第１蓋体と、第１蓋体から第２接合部を介して連設され、第２注出口を閉止する第２蓋体と、を備え、第１蓋体は、第２蓋体の第1被係合部に係合可能である第１係合手段を備え、第２蓋体は、キャップ本体の第２被係合部に係合可能である第２係合手段を備えるところに特徴を有する。
【発明の効果】
【０００７】
本発明は上記構成にしたことにより、第１及び第２蓋体は、開放状態において、多段キャップの一部と係合して固定されるため、動作に伴い本体に対して揺動することがなくなる。
【０００８】
また、好適には第１係合手段および第２係合手段は、それぞれ第１蓋体及び第２蓋体の外周壁に設けられた指かけ部とし、第１被係合部は、第２蓋体の外周壁の上端に設け、第２被係合部は、キャップ本体の下端とする。この構成により、構成的に簡単な方法で各係合手段を実現できる。
【図面の簡単な説明】
【０００９】
【図１】本発明の第１実施例である多段キャップを容器本体に装着した初期状態の縦断面図である。
【図２】図１に示す多段キャップの第１開状態における縦断面図である。
【図３】図１に示す多段キャップの第２開状態における縦断面図である。
【図４】図１に示す多段キャップの上端面図である。
【図５】本発明の第２実施例である多段キャップの第１開状態を要部について示した図であり、（ａ）は、第２蓋体の下端面を示した図およびそのＡ−Ａ線上の縦断面図であり、（ｂ）は概観斜視図である。
【発明を実施するための形態】
【００１０】
以下、図面に基づいて本発明の一実施例を詳述する。
【実施例１】
【００１１】
本実施例において、多段キャップ１は、例えば合成樹脂などを素材として射出成形により一体成形されたものから成っており、例えばマヨネーズや、食用油、洗剤などの液体等を収容する容器本体２の上端開口２ａに装着される。容器本体２は上端開口２ａ（口頸部）、胴部２ｂ及び底部２ｃを有していればよく、容器本体２はどのような形態でもよい。多段キャップ１は、キャップ本体３の内筒３ｂ’、フランジ３ｃ及び外筒３ｄで構成した凹部３ｅに容器本体２の上端開口２ａを圧入して密に嵌合させ、外筒３ｄの下端部内周面に設けた係合突起３ｆと容器本体２の口頸部外周面に設けた係合突起２ｆを係合させて容器本体２に装着している。また、代替例（図示せず）としては、例えばキャップ本体３の外筒内周面と容器本体２の口頸部外周面にねじ部を設けてねじ止め連結してもよく、どのような方法で容器本体２に対して装着されてもよい。
【００１２】
また、本多段キャップは、胴部２ｂ内に収容された内容物の注出に際し、図１に示す初期状態から、第１蓋体４及び第２蓋体５の外周壁下端部に設けたそれぞれの指かけ部７、９（対向位置に形成）を適宜選択して接合部（ヒンジ）を起点にして引き上げることで、第２蓋体５のみをキャップ本体３および第１蓋体４に対して開いた第１開状態（図２）、または、第１蓋体４および第２蓋体５をキャップ本体に対して開いた第２開状態（図３）のいずれかに移行させて用いる。
【００１３】
多段キャップ１は、容器本体２の上端開口２ａに上述の係合手段（非限定例、２ｆ、３ｆ）により取付けられ、キャップ本体３と、このキャップ本体３のフランジ３ｃから、第１接合部としてのヒンジ３ａを介して連設された第１蓋体４と、該ヒンジ３ａと対向する位置の第１蓋体４のフランジ４ｃから、第２接合部としてのヒンジ４ａを介して連設された第２蓋体５とを備える。
【００１４】
本実施例においてキャップ本体３の中央部の頂壁には、薄肉に切り欠かれた破断予定部位ｅに沿う引きちぎりによって第１注出口３ｂを形成するプルリング６を備え、第１蓋体４は第２注出口４ｂを備える。第１注出口３ｂおよび第２注出口４ｂはそれぞれ異なる形状を有していても良く、本実施例においては第１注出口３ｂが大径開口であるのに対し、第２注出口４ｂは開口径を小さくした複数の孔から成り、それぞれ異なる注出量および注出形状で内容物を注出することを可能とする。また第２蓋体５は、第２注出口４ｂを閉止する。第１、第２蓋体４、５の双方を閉じた状態において、容器本体２の上端開口２ａは上述の係合手段により液密に嵌合され、第１蓋体４は、外周壁下端部に設けた係合部４ｇとキャップ本体３のフランジ３ｃから起立する係合部３ｇと嵌合し、第１注出口３ｂを形成する注出筒３ｈは、第１蓋体４の頂壁下端から垂下する密封栓４ｈと嵌合する。第２蓋体５は、外周壁下端部に設けた係合部５ｉと第１蓋体４の外周壁上端部に設けた係合部４ｉと嵌合し、第２注出口４ｂを取り囲む注出筒４ｊは、第２蓋体５の頂壁下端から垂下する密封栓５ｊと嵌合する。
【００１５】
図２は、多段キャップ１の第１開状態を示した図である。第１蓋体４は、第１係合手段としての、指かけ部７の端部に容器の延在方向上方に備えた突起７ａを有し、この突起７ａは、第２蓋体５の頂壁に設けた第１被係合手段としての凹部８に嵌合する。突起７ａと凹部８の嵌合により、容器の姿勢を上下逆さまなどに変えたとしても、第１開状態が保たれて、第２蓋体５はその開位置に保持される。
尚、第１被係合手段としての凹部８は、第２蓋体５の周壁の上端部に設けてもよい。
【００１６】
図３は、多段キャップ１の第２開状態を示した図である。第２蓋体５は、第２係合手段としての、指かけ部９の端部に容器の延在方向下方に備えた突起９ａを有し、この突起９ａは、キャップ本体３の下端に設けた第２被係合手段としての段部（凹部）１０に嵌合する。突起９ａと段部（凹部）１０の嵌合により、容器の姿勢を上下逆さまなどに変えたとしても、第２開状態が保たれて、第１蓋体４および第２蓋体５はその開位置に保持される。
尚、第２被係合手段としての段部（凹部）１０は、少なくとも指かけ部９に設けた突起９aが嵌合し得る幅を有していればよい。
【００１７】
図４は、多段キャップ１の上端面を示した図である。双方の指かけ部７、９は、それぞれの蓋体４、５の周壁の対向する位置、すなわちキャップ１の中心を基準にして周壁の周りに１８０度離れた位置に設けられている。
【実施例２】
【００１８】
図５に示すのは、本発明多段キャップの第２実施例における、第１開状態を示した図である。この実施例において、第１蓋体４は、その周壁の下端に第１係合手段としての指かけ部７を有し、この指かけ部７は、Ｔ字状の係止部材として形成されている。また、第２蓋体５は、その周壁の上端に第１被係合手段としての凹部８を有し、この凹部８はその延在方向両端に縦リブ８ａを備える。第２蓋体５を開いて第１開状態へと移行させると、Ｔ字状の係止部材である指かけ部７の係止部分７ｂは、凹部８の双方の縦リブ８ａの間に狭持される。縦リブ８ａと、係止部分７ｂとが係合することで、第１開状態が保たれて、第２蓋体５はその開位置に保持される。
【００１９】
以上、実施例を参照しながら本発明の多段キャップの構成について述べてきたが、本発明は上述の実施形態に限定されるものではなく、例えば、各係合手段および被係合手段は、指かけ部に設けられた突起と凹部または係止部材と凹部の代わりに、指かけ部に設けられた凹部と突起としてもよく、さらには凸部同士としてもよい。また、各係合手段および被係合手段を設ける位置は、１８０度の角度をもって対向位置とする代わりに、９０度の角度を成すような位置に設けても良い。
【産業上の利用可能性】
【００２０】
簡単な構造でもって蓋体の開放姿勢を安定的に固定保持し得る多段キャップが提供できる。
【符号の説明】
【００２１】
１  多段キャップ
２  容器本体
２ａ  上端開口
２ｂ  胴部
２ｃ  底部
２ｆ  係合突起
３  キャップ本体
３ａ  ヒンジ
３ｂ  第１注出口
３ｂ’  内筒
３ｃ  フランジ
３ｄ  外筒
３ｅ  凹部
３ｆ  係合突起
３ｇ  係合部
３ｈ  注出筒
４  第１蓋体
４ａ  ヒンジ
４ｂ  第２注出口
４ｃ  フランジ
４ｇ  係合部
４ｈ  密封栓
４ｉ  第１蓋体
４ｊ  注出筒
５  第２蓋体
５ｉ  係合部
５ｊ  密封栓
６  プルリング
７  指かけ部
７ａ  突起
７ｂ  係止部分
８  凹部
９  指かけ部
９ａ  突起
１０  段部（凹部）
ｅ  破断予定部位
【図１】
2010202197.tif 000003
【図２】
2010202197.tif 000004
【図３】
2010202197.tif 000005
【図４】
2010202197.tif 000006
【図５】
2010202197.tif 000007